(57)【要約】【課題】読取手段が４色以上の光源を持つ画像処理装置において、その読取手段の持つ特徴を、ユーザに意識させること無く、その機能をユーザが十分に活用することができる画像処理装置および画像処理装置の制御方法を提供することを目的とする。【解決手段】操作手段を介して、ユーザが指定した機能を実行する際に、読取色決定手段が、所定の品位と所定の色再現性とを持つ出力画像を必要とすると認識した場合に、原稿読取手段が持つ全ての光源を点灯させ、原稿の読取処理を実行し、一方、上記所定の色再現性をもつ出力画像を必要としないと認識した場合、または、より処理負荷が軽く、早い処理速度を必要とする場合に、所定の光源のみを点灯させて、原稿の読取処理を実行する制御手段とを有することを特徴とする画像処理装置である。【選択図】図１
2007166072.tif 000002
【特許請求の範囲】
【請求項１】
４色以上の光源を利用し、原稿を光学的に読み取り、電気的な画像データに変換する原稿読取手段と；
ユーザが実行する機能の選択、処理の実行要求を入力する操作手段と；
上記各手段の制御に必要な制御パラメータを保存する制御データ保存手段と；
上記操作手段による入力情報、または上記制御データ保存手段に保存されている情報に基づいて、所定の品位と所定の色再現性とを持つ出力画像を必要とするか否かを判断し、この判断に応じて、何色の光源を用いて、原稿を読み取るべきかを決定する読取色決定手段と；
上記操作手段を介して、ユーザが指定した機能を実行する際に、上記読取色決定手段が、所定の品位と所定の色再現性とを持つ出力画像を必要とすると認識した場合に、上記原稿読取手段が持つ全ての光源を点灯させ、原稿の読取処理を実行し、一方、上記所定の色再現性をもつ出力画像を必要としないと認識した場合、または、より処理負荷が軽く、早い処理速度を必要とする場合に、所定の光源のみを点灯させて、原稿の読取処理を実行する制御手段と；
を有することを特徴とする画像処理装置。
【請求項２】
請求項１において、
低解像度で色再現性が低くても問題が無い機能を実行するとき、実際の処理に使用する出力画像を取得する前に、原稿によって変動する制御パラメータを決定するために、前もって行われる読取処理を実行するときに、
上記制御手段は、必要最低限の色を持つ光源のみを点灯させ、原稿の読取処理を実行させる手段であることを特徴とする画像処理装置。
【請求項３】
請求項１または請求項２において、
上記原稿読取手段によって変換された出力画像データを、一時的に保存する画像データ保存手段と；
上記画像データ保存手段に保存されている画像データの持つ色情報を解析し、認識する色情報解析手段と；
を有し、上記読取色決定手段は、上記原稿読取手段が持つ全ての光源のうちで、原稿の読取処理を実行するために点灯する色の数が、３色であるか４色であるかを決定する手段であって、上記色情報解析手段が解析した色情報に基づいて、上記点灯する色の数を決定する手段であることを特徴とする画像処理装置。
【請求項４】
請求項１〜請求項３のいずれか１項において、
上記４色以上の光源は、赤、青、緑の光源と、これら３つの光源の色再現領域を拡張することが可能な、各色の中間色の少なくとも１つの光源とであることを特徴とする画像処理装置。
【請求項５】
４色以上の光源を利用し、原稿を光学的に読み取り、電気的な画像データに変換する原稿読取工程と；
ユーザが実行する機能の選択、処理の実行要求を入力する操作工程と；
上記各工程の制御に必要な制御パラメータを保存する制御データ保存工程と；
上記操作工程による入力情報、または上記制御データ保存手段に保存されている情報に基づいて、所定の品位と所定の色再現性とを持つ出力画像を必要とするか否かを判断し、この判断に応じて、何色の光源を用いて、原稿を読み取るべきかを決定する読取色決定工程と；
上記操作工程でユーザが指定した機能を実行する際に、上記読取色決定工程で、所定の品位と所定の色再現性とを持つ出力画像を必要とすると認識した場合に、上記原稿読取工程で利用する４色以上の光源の全ての光源を点灯させ、原稿の読取処理を実行し、一方、上記所定の色再現性をもつ出力画像を必要としないと認識した場合、または、より処理負荷が軽く、早い処理速度を必要とする場合に、所定の光源のみを点灯させて、原稿の読取処理を実行する制御工程と；
を有することを特徴とする画像処理装置の制御方法。
【発明の詳細な説明】
【技術分野】
【０００１】
本発明は、原稿読取手段を有する画像処理装置およびその制御方法に関する。
【背景技術】
【０００２】
画像読取手段を持つ画像処理装置では、ＣＣＤ（Ｃｈａｒｇｅ−Ｃｏｕｐｌｅｄ  Ｄｅｖｉｃｅｓ）、ＣＩＳ（Ｃｏｎｔａｃｔ  Ｉｍａｇｅ  Ｓｅｎｓｏｒ）等、光電変換素子を用い、原稿をデジタルデータに変換する。
【０００３】
これらの光電変換素子は、通常、赤、緑、青の３色のカラーフィルタを持つ光源によって構成されている。しかし、近年の高画質の画像データを取り扱うことを望むユーザの要求に応じて、上記３色では表現できない色を補うことによって、色再現性を拡大する目的で、新たな色の光源を追加した画像処理装置が知られている（たとえば、特許文献１参照）。
【０００４】
この特許文献１記載の発明は、４色以上の可視波長成分に分解する色分解手段を用い、被写体の画像を読み取り、第１の画像信号を出力する撮像手段を設けた発明である。また、特許文献１記載の発明は、この撮像手段が出力した信号から、３色以上に分解された第２の画像信号を演算し、生成するカラー画像読取装置である。
【０００５】
また、特許文献１における請求項において、画像を３色の可視波長成分に分解する第１のモードと、４色の可視波長成分に分解する第２のモードとを選択的に切り替える点が記載されている。
【特許文献１】特開平１１−２４３４９２号公報
【発明の開示】
【発明が解決しようとする課題】
【０００６】
近年は、画像処理装置の複合化が進み、装置単体で、ＰＣスキャン、ＰＣプリント、コピー、ファクシミリ送受信等、複数の機能を実現することができる。
【０００７】
特許文献１記載の画像処理装置で、これらの機能を実現しようとすると、機能によってはオーバースペックになり、必要以上に処理時間、処理負荷を要することがある。
【０００８】
また、複合化が進んだ画像処理装置では、機能、オペレーションの複雑化も進んでいる。このために、特許文献１記載の発明のように、原稿を３色の可視波長成分に分解するモードと、４色の可視波長成分に分解するモードとを提供するだけでは、ユーザにとっては判り難い。この結果として、画像処理装置の持つ機能を効率よく、かつそのスペックを十分に活用することが難しいという問題がある。
【０００９】
本発明は、読取手段が４色以上の光源を持つ画像処理装置において、その読取手段の持つ特徴を、ユーザに意識させること無く、その機能をユーザが十分に活用することができる画像処理装置および画像処理装置の制御方法を提供することを目的とする。
【課題を解決するための手段】
【００１０】
本発明は、４色以上の光源を利用し、原稿を光学的に読み取り、電気的な画像データに変換する原稿読取手段と、ユーザが実行する機能の選択、処理の実行要求を入力する操作手段と、上記各手段の制御に必要な制御パラメータを保存する制御データ保存手段と、上記操作手段による入力情報、または上記制御データ保存手段に保存されている情報に基づいて、所定の品位と所定の色再現性とを持つ出力画像を必要とするか否かを判断し、この判断に応じて、何色の光源を用いて、原稿を読み取るべきかを決定する読取色決定手段と、上記操作手段を介して、ユーザが指定した機能を実行する際に、上記読取色決定手段が、所定の品位と所定の色再現性とを持つ出力画像を必要とすると認識した場合に、上記原稿読取手段が持つ全ての光源を点灯させ、原稿の読取処理を実行し、一方、上記所定の色再現性をもつ出力画像を必要としないと認識した場合、または、より処理負荷が軽く、早い処理速度を必要とする場合に、所定の光源のみを点灯させて、原稿の読取処理を実行する制御手段とを有することを特徴とする画像処理装置である。
【発明の効果】
【００１１】
本発明によれば、読取手段が４色以上の光源を持つ画像処理装置において、その読取手段の持つ特徴を、ユーザに意識させること無く、その機能をユーザが十分に活用することができるという効果を奏する。
【発明を実施するための最良の形態】
【００１２】
発明を実施するための最良の形態は、次の実施例である。
【実施例１】
【００１３】
図１は、本発明の実施例１である画像処理装置（以下、「ＭＦＰ」という）１０１を示すブロック図である。
【００１４】
ＭＦＰ１０１は、ネットワークによって接続されたＰＣやＭＦＰ等の外部端末２０１と通信を行うインタフェースと、ファクシミリ通信を行うための公衆回線３０１との通信を行うインタフェースとを有する。またＭＦＰ１０１は、メモリカードのような持ち運びが可能な記録メディアにアクセスし、それらとデータのやり取りをするインタフェースを有する。
【００１５】
制御部（ＣＰＵ）１００１は、ＲＯＭ１００２に記憶されているプログラムに従って、ＭＦＰ１０１の全体を制御する制御部である。
【００１６】
ＲＯＭ１００２は、制御部１００１の制御プログラムやオペレーティングシステム（ＯＳ）プログラム等を格納し、制御部１００１は、ここに格納されている制御プログラムに従って、ＭＦＰ１０１の動作を制御する。
【００１７】
ＲＡＭ１００３は、演算処理や、ユーザが登録した設定値や装置の管理データ等の保存等に使用される。
【００１８】
バッファメモリ１００４は、ネットワークを通じて受信した画像データやデータパケットの蓄積、公衆回線を介して受信したファクシミリ画像データ等を蓄積する。
【００１９】
操作部１００５は、各種入力キーで構成され、ユーザによる各種入力操作を行う。
【００２０】
読取処理部１００６は、読取部１００７によって原稿を光学的に読み取り、電気的な画像データに変換した画像信号を、２値化処理、中間調処理等の各種画像処理を施し、高精細な画像データを出力する。読取処理部１００６は、ＲＯＭ１００２に格納されている制御プログラムのスキャン制御タスクプログラムによって制御される。
【００２１】
読取部１００７は、ＣＣＤやＣＩＳ等の光電変換素子と光源、ミラー、レンズ等によって構成され、ネガ写真フィルム、ポジ写真フィルム等の透過原稿を読込むことが可能なＭＦＰ１０１において、専用の光源を含む特殊なユニットを保持する。読取部１００７の光電変換素子の光源は、互いに異なる色のカラーフィルタを持ち、実施例１では、赤（以下、Ｒ）、緑（以下、Ｇ）、青（以下、Ｂ）の３色と、その３色の中間色とを持つカラーフィルタを使用する。
【００２２】
通常の読取処理では、ＲＧＢの３色を使用するだけで実現可能であるが、中間色のカラーフィルタを使用することによって、その３色だけでは再現できない色を読み取ることが可能である。実施例１では、その中間色として、ＧとＢとの中間色であるエメラルドグリーン（以下、Ｅ）を使用し、色再現領域を拡張する。
【００２３】
また、これらの光源は、ＣＰＵ１００１によって、それぞれを自由に点灯、消灯することができる。
【００２４】
記録処理部１００８は、記録部１００９が画像データを記録するために、記録画像データに、解像度変換処理やスムージング処理を行う。また、記録部１００９に、紙無し、紙ジャム、トナー（またはインク）切れ等の障害が発生すると、記録部１００９から障害情報を受け取り、制御部１００１に通知する。記録処理部１００８は、ＲＯＭ１００２に格納されている制御プログラムのプリンタ制御タスクプログラムによって制御される。記録部１００９は、レーザビームプリンタやインクジェットプリンタ等で構成され、記録紙検知手段、トナー（またはインク）検知手段、ジャム検知手段を有する。
【００２５】
表示部１０１０は、ＬＥＤ、ＬＣＤ等で構成され、ＭＦＰ１０１の保持する各機能を設定するための表示や、各種設定のための表示、ＭＦＰ１０１の動作状況の表示等を行う。
【００２６】
符号復号化処理部１０１１は、読取処理部１００６、読取部１００７で作成された画像データを、または公衆回線から受信した画像データを、ＭＨ、ＭＲ、ＪＩＢＧ、ＪＰＥＧ等の圧縮伸張する符号復号化処理を行う。
【００２７】
ネットワーク制御部１０１２は、ＩＥＥＥ８０２．３等によって規定されたネットワーク等を経由し、ＰＣ等の外部端末２０１との間の通信を制御する。また、ネットワーク制御部１０１２は、ＴＣＰ／ＩＰ等の規格に沿って、プロトコル制御を行い、ＭＦＰ１０１が取得したアドレスを宛先にしたデータパケットの受信、およびＭＦＰ１０１から外部端末２０１へのデータパケットの送信を行う。そして、データパケットを外部端末２０１から受信すると、制御部１００１に通知する。
【００２８】
通信制御部１０１３は、公衆回線３０１とＭＦＰ１０１とを接続するインタフェースであり、局交換機からの呼出信号を検出するリンガー検出回路、ダイヤル生成回路、２線−４線変換を行うためのトランス回路等で構成されている。音声信号やファクシミリ通信の変調信号は、通信制御部１０１３を通じて、公衆回線３０１との間で送受信される。記録メディア処理部１０１４は、メモリカード等持ち運び可能な記録デバイスに対して、ＭＦＰ１０１が保持する画像データを書き込み、また、記録デバイスの保持する画像データを読み込む処理を制御する。
【００２９】
実施例１は、読取部１００７における光電変換素子が持つ光源として、ＲＧＢの外には、Ｅのカラーフィルタしか使用しない。しかし、実施例１において、色再現領域を拡張することが可能な他の色（赤と青の中間色、赤と緑の中間色等）を持つカラーフィルタを、設けるようにしてもよく、このようにしても、上記と同様の効果を奏する。
【００３０】
次に、実施例１における読取の動作について説明する。
【００３１】
図２は、実施例１において、ＰＣスキャンや透過原稿の読取処理等のプレスキャンを必要とする場合における処理を示すフローチャートである。
【００３２】
図２は、ＭＦＰ１０１におけるジョブの流れを示したものである。
【００３３】
操作部１００５から、ユーザによってプレスキャンの実行を指示されると、ＭＦＰ１０１は、ＲＧＢの３色の光源を用い、プレスキャンする（Ｓ１０１）。このプレスキャンを実行する場合は、外部端末２０１から原稿のプレスキャンを指示された場合だけではない。つまり、自動変倍等のコピー実行時に、適切なコピー設定で原稿を読み取り、かつ印字するために実行される原稿の特徴を検出するためのプレスキャンが含まれる。また、透過原稿を読み取る際の制御パラメータを決定するために、透過原稿の情報を取得されるために行うプレスキャンも含まれる。
【００３４】
ＭＦＰ１０１は、プレスキャン実行後に、ＲＧＢの光源で読み取った画像データを、指定されたジョブに従い処理する（Ｓ１０２）。上記のように、外部端末２０１からプレスキャンの実行を指定されると、ネットワーク制御部１０１２から、外部端末２０１へ画像データを転送し、外部端末２０１で表示等の処理が実行される。
【００３５】
また、コピー実行前のプレスキャンにおいて、その画像データを表示部１０１０に表示し、本スキャンの読取処理、印字処理の設定を決めるための材料にされる。そして、透過原稿の読取処理時に、読み取りデータの解析処理が行われ、最適な制御値の取得と設定とが行われる。
【００３６】
これらの処理が終わった後に、ユーザまたはＣＰＵ１００１によって、本スキャン実行が指示されると、ＭＦＰ１０１は、本スキャンの実行命令を受信した後に（Ｓ１０３）、ＲＧＢＥの４色の光源を用い、本スキャンを実行する（Ｓ１０４）。
【００３７】
上記プレスキャンのように、色再現性が高くなくても足りる処理に対しては、ＲＧＢの３色の光源を用い、読取処理を行うことによって処理速度を早め、処理の負荷を減らす。
【００３８】
上記本スキャンのように、出力データとして出される画像データには、ＲＧＢＥの４色の光源を用い、読取処理を行うことによって、高い色再現性を持つ読取処理を実現することができる。
【実施例２】
【００３９】
図３は、本発明の実施例２における処理を示すフローチャートであり、図２に示す処理よりも、より色再現性を高めた場合の処理を示すフローチャートである。
【００４０】
操作部１００５から、ユーザによって、プレスキャンの実行が指示されると、ＭＦＰ１０１は、ＲＧＢの３色の光源を用い、プレスキャンする（Ｓ２０１）。上記のように、このプレスキャンの実行には、外部端末２０１から原稿のプレスキャンを指示された場合だけではない。つまり、自動変倍等のコピー実行時等、適切なコピー設定で原稿を読み取り、かつ印字するために実行される原稿の特徴を検出するためのプレスキャン、透過原稿の読取処理の制御パラメータを決定するためのプレスキャンも、含まれる。
【００４１】
ＭＦＰ１０１は、プレスキャン実行後に、ＲＧＢの光源で読み取った画像データを、指定されたジョブに従い処理する（Ｓ２０２）。上記のように、外部端末２０１への画像データの転送処理を実行し、画像データを表示部１０１０に表示し、本スキャンの印字設定を決めるための材料にし、または、制御パラメータの算出処理等が実行される。
【００４２】
この際、プレスキャン画像データを、ＲＡＭ１００３やバッファメモリ１００４等に保存する。これらの処理が終わった後に、ユーザまたはＣＰＵ１００１によって、本スキャンが指定されると、ＭＦＰ１０１は、本スキャンの実行命令を受信し（Ｓ２０３）、保存しておいたプレスキャン画像データの色成分の調査を開始する（Ｓ２０４）。
【００４３】
調査した結果、画像データにＥの光源を使用し、スキャンをした方が、色再現性が優れていると判断できる場合、ＲＧＢＥの４つの光源を使用し、本スキャンを実行する（Ｓ２０５、Ｓ２０６）。また、Ｅの光源を使わなくても、十分な色再現性を実現できると判断すれば、または、Ｅの光源を使うと色再現性が悪くなると認識できれば、ＲＧＢの３つの光源を用い、本スキャンする（Ｓ２０５、Ｓ２０７）。
【００４４】
このように、プレスキャンした画像データの出力結果を解析し、その結果に従い、Ｅを使うことによって、より色再現性が高い出力画像が得られると判断できたときにのみ、ＲＧＢＥの４つの光源を用い、本スキャンを行う。これによって、より良い出力画像を得ることができるだけでなく、必要が無い時は、ＲＧＢの３つの光源で読み込むので、その分データ処理の負担を軽くすることができる。
【実施例３】
【００４５】
図４は、ＭＰＦ１０１の持つ各機能を実行する際における読取処理の流れを示すフローチャートである。
【００４６】
操作部１００５から、ユーザによってプレスキャンの実行を指示されると、ＭＦＰ１０１は、ＲＧＢの３色の光源を用いプレスキャンを実行する（Ｓ３０１）。上記のように、このプレスキャンの実行には、外部端末２０１から原稿のプレスキャンを指示された場合だけではない。つまり、自動変倍等のコピー実行時等、適切なコピー設定で原稿を読み取り、かつ印字するために実行される原稿の特徴を検出するためのプレスキャンや、透過原稿の読取処理の制御パラメータを決定するためのプレスキャンも、含まれる。
【００４７】
ＭＦＰ１０１は、プレスキャンを実行した後に、ＲＧＢの光源で読み取った画像データを、指定されたジョブに従い処理する（Ｓ３０２）。上記のように、外部端末２０１へ画像データを転送、画像データを表示部１０１０に表示、本スキャンの印字設定を決めるため解析処理、透過原稿の読み取り時の制御用のパラメータの算出処理等が実行される。
【００４８】
これらの処理が終わった後に、ユーザまたはＣＰＵ１００１によって、本スキャンが指定されると、ＭＦＰ１０１は、本スキャンの実行命令を受信した後に（Ｓ３０３）、選択されたジョブ内容を認識する（Ｓ３０４）。
【００４９】
そして、選択されたジョブが高い画質と色再現性とが要求されている場合、ＲＧＢＥの４つの光源を用い、本スキャンを実行し（Ｓ３０５、Ｓ３０６）、そうでない場合、ＲＧＢの３つの光源を用い本スキャンを実行する（Ｓ３０５、Ｓ３０７）。
【００５０】
前者には、ＰＣスキャンやコピー時の高品位の印字モード、スキャンした画像データのメモリカード等の記憶デバイスへの書き込み等が、該当する。後者には、コピー時の低品位の印字モード、印字速度を重視されるコピーモードやファクシミリ送信時の読取、モノクロ、グレースケール読取等が、該当する。
【００５１】
このように、比較的高い色再現性が必要とされないジョブや、画質よりもその速度が重視されるようなジョブが、ユーザによって選択されると、ＲＧＢの３つの光源を使用し、読取処理を行うことによって処理負荷を減らし、処理速度を高める。
【００５２】
逆に、その色再現性が重視されるジョブでは、ＲＧＢＥの４つの光源を用い、高品位の出力画像を取得し、その出力画像のデータを、指定されたジョブに使用することによって、ユーザの指示に沿った効率の良いジョブを提供することが可能となる。
【００５３】
すなわち、上記実施例では、コピーにおける自動変倍機能のような一度プレスキャンを実行し、その結果から取得されたデータを用い、本スキャンの処理を行うジョブの実行を、ユーザから指示されたときに、認識手段は、次の処理を実行する。つまり、認識手段は、プレスキャン実行時には、赤、青、緑の原稿の読取処理に最低限必要な３色を用い原稿の読取処理を行い、次の本スキャンに必要なデータを取得する。
【００５４】
そして、上記認識手段は、本スキャンの際には全ての色の光源を用いたスキャンの実行を制御手段に通知する。この際、プレスキャンによって取得されていた画像データを記憶手段に一時的に保存し、本スキャン実行前に、解析手段を用い、その色成分を解析する。
【００５５】
そして上記認識手段は、次の本スキャンで、上記読取手段の持つどのカラーフィルタを持つ光源を使用して読取処理を行えば、処理速度と色の再現性が最適になるのかを判断する。
【００５６】
上記制御手段は、その判断に従い原稿の読取処理を行う。これをより具体的に述べるなら、プレスキャンの結果に、青と緑のデータが多く含まれていた場合、本スキャンでは、赤、緑、青に加え、緑と青の色再現性を補完するような色（緑と青の中間色等）を用いて、スキャンを実行する。
【００５７】
また、画像処理装置において、ユーザから指定されたジョブが、高い色再現性を必要としないジョブであれば、上記認識手段は、原稿の読取処理に最低限必要な赤、緑、青の３色で、原稿の読取処理を行い、読み取った画像データを、上記処理手段が処理する。
【００５８】
たとえば、ユーザからファクシミリ送信のようにジョブが指示されたときに、ファクシミリ送信は、２値やグレースケールのデータで処理されることが多く、一定速度以上の送信速度が要求されている。したがって、それほど高い色再現性を必要とせず、どちらかというと処理速度が重視される。
【００５９】
このために、原稿の読取処理を、最低限必要な赤、緑、青の３色で行うので、全ての光源を使用して読取処理を行った場合よりも、処理データ量が少ない画像データを作成し、通信処理を制御するブロックに、その画像データを渡し、通信処理を実行してもらう。
【００６０】
また、高い色再現性が必要とされるジョブが指定されると、上記認識手段が、全ての光源を用い原稿の読取処理を行うように、各手段に通知し、これに従い、上記制御手段は各手段を制御する。たとえば、インクジェットプリンタを持つ複合機において、高品位コピーが指定された場合は、インクジェットプリンタの高い色再現性を生かすために、全ての光源を用い、原稿を読み取り、画像データを作成する。そして、印字処理を制御するブロックへデータを送り、印刷処理を実行してもらう。
【００６１】
つまり、上記実施例によれば、４色以上の光源を持つ読取手段を持つ画像処理装置において、自身が多数の機能を持ち、多様なジョブを実行できる場合でも、画像処理装置がユーザからの指示を元に、自身で使用するべき読取色数を適切に判断する。したがって、ユーザが、４色以上の光源を持つ読取手段であることを意識せずに、高品位な出力画像を必要とすれば、高品位な出力画像を取得することができ、高品位な出力画像を必要としなければ、効率の良い画像処理、迅速な処理を提供することができる。
【００６２】
なお、上記実施例では、プレスキャンを行わず、ユーザによって指定されたジョブに従って、使用する光源を選択するようにしてもよく、上記と同じ効果を奏する。
【図面の簡単な説明】
【００６３】
【図１】本発明の実施例１である画像処理装置（ＭＦＰ）１０１を示すブロック図である。
【図２】実施例１において、ＰＣスキャンや透過原稿の読取処理等のプレスキャンを必要とする場合における処理を示すフローチャートである。
【図３】本発明の実施例２における処理を示すフローチャートであり、図２に示す処理よりも、より色再現性を高めた場合の処理を示すフローチャートである。
【図４】ＭＰＦ１０１の持つ各機能を実行する際における読取処理の流れを示すフローチャートである。
【符号の説明】
【００６４】
１００…画像処理装置、
１００１…制御部（ＣＰＵ）、
１００２…ＲＯＭ、
１００３…ＲＡＭ、
１００５…操作部、
１００６…読取処理部、
１００７…読取部、
１００８…記録処理部、
１００９…記録部、
１０１０…表示部。
【図１】
2007166072.tif 000003
【図２】
2007166072.tif 000004
【図３】
2007166072.tif 000005
【図４】
2007166072.tif 000006